Podtech/llm-jp-corpus-v4-ja_patent huggingface dataset:
(57)【要約】【課題】本考案は冬期間に於ける屋根ひさし張出し氷雪が、予期なき落雪で、被害、危険をもたらすのを防止する。【解決手段】本考案は鋼鉄板１の上部に分割されて、できた鉄針２、３、４、５、６を設け、各鉄針を横に通した鉄板帯７で、各鉄針間を固定し、各鉄針が１つにまとまった下端部、根本部１’を鉄パイプ１０に押入固定、鉄針を含めて全体を棒状にして、鉄針の先端で、屋根ひさしの先端と、張り出し氷雪の根元部分の間の氷雪を突き破って、氷雪を真下に落下させ、氷雪が勝手に飛び出す前に処理できるので、落雪の被害、危険を防止するのに役立つ。【選択図】図１
0003114547.tif 000002
【実用新案登録請求の範囲】
【請求項１】
鋼鉄板の上部が分割されて、できた鉄針を数本設け、その数本の鉄針が１つにまとまった下端部、根元部を鉄パイプに装着固定、且つ鉄針間を横に通した鉄板帯で固定して短かい鉄針にする、中央針は、他の残りの鉄針より僅少長めにすることを特徴とする、屋根ひさし張出し氷雪除去機
【考案の詳細な説明】
【技術分野】
【０００１】    本考案は鋼鉄板の上部が分割されて、できた鉄針を数本設け、その鉄針の先端で氷雪を突き破り除去する、氷雪除去機に関するものである。
【背景技術】
【０００２】    従来、冬期間に、屋根より氷雪が張出した場合、スコップ、プラスチック除雪機、平たい鉄製板を木製の棒の先端に取り付けもので、氷雪を突き落したり、また、自分の家から落雪して、隣家の物を破損するトラブルを回避するため、隣家との間に金網で柵を設けたりする方法がとられていた。
【考案の開示】
【考案が解決しようとする課題】
【０００３】    従来の除雪道具は、いずれも、柄が短かく、重く、破損しやすく、労動的負担であり、氷雪が直接頭上に落下する危険があり、また、隣家との間の金網の柵は経済負担が大きい、従って鋭利な鉄針で、張り出してくる氷雪を素早く、安全に突き破り落下させることにより、前述の欠点を解決しようとするものである。
【課題を解決するための手段】
【０００４】    本考案が、鋼鉄板の本体上部が分割されて、できた鉄針を数本設け、その数本の鉄針が１つにまとまった、下端部、根元部を軽い堅固な鉄パイプに装着、装着後、鉄パイプ上部先端を押しつぶし、留ねじで密着固定する。且つ鉄針間を横に通した、鉄板帯を設け、鉄針間を固定することにより鉄針間の左右への動き、ぐらつきを止め、短かい鉄針の利用で氷雪突き破り可能にして、危険防止、鉄板帯は、氷雪を破るときの圧力に対応、中央針は、僅少長めで氷雪にひびを入れ、左右針で突き破れることにより問題点を解決している。
【考案の効果】
【０００５】    上述の様に、本考案の氷雪除去機は鋭利な鉄針を先端に設けたので、氷雪を容易に突き破り、氷雪内部に、氷雪除去機の先端を押入することができ、その結果、氷雪が真下に自然落下するため、労動的負担も少なく、経費の削減になることは勿論、張り出し氷雪から離れての作業のため、氷雪頭上落下危険防止に役立つ、また早期氷雪除去により、通行人の安全、隣家とのトラブル回避、屋根の雨樋の破損を防ぎ、つららの除去にも利用できる。
【考案を実施するための最良の形態】
【０００６】    氷雪除去機の鉄針を先頭にして、屋根ひさしの先端と、張り出した氷雪の根元部分の間を軽くつついて、こつこつと氷雪に穴を開けていくことができる、鉄針で氷雪をつつくとき、氷雪が直接頭上に落下するのを防止するため内側（屋根ひさしの先端と張出氷雪の根元の間を見上げる体勢）から、少し離れて、斜めに鉄パイプを構え、氷雪に穴を開ける、この動作を屋根のひさしに沿って、順繰りに前方に向かって、繰り返していくと、氷雪は、氷雪そのものの重さで、自然落下する。
【実施例】
【０００７】    以下、添付図面に従って実施例を説明する。１は鋼鉄板の上部一部が分割され、鉄針で形成された氷雪除去機本体。２、３、４、５、６は氷雪を突き破るために鋼鉄板の上部一部に設けられた鉄針、４は中央にある鉄針で、他の鉄針２、３、５、６よりは僅少長めだが、鉄針で氷雪を破るとき、最初に氷雪にひびを入る鉄針。【０００８】    ７は鉄針を横に通した鉄板帯で、長い鉄針を短かくして安全使用、氷雪突き破り中の圧力でも、鉄針間が固定されて動かない、鉄針と共に氷雪を突き破る。１’は氷雪除去機の各鉄針が１つにまとまった下端部、根本部で、軽い堅固な鉄パイプ１０に装着、装着後、１０の上部先端を押しつぶし留ねじ８と９の穴に留め固定する。
【図面の簡単な説明】
【図１】 
【図２】 
【符号の説明】
【０００９】  １  氷雪除去機本体
２  鉄針
３  鉄針
４  鉄針
５  鉄針
６  鉄針
７  鉄板帯
８  本体下部と鉄パイプと固定する留ねじ穴
９  本体下部と鉄パイプと固定する留ねじ穴
１０  鉄パイプ
【図１】
0003114547.tif 000003
【図２】
0003114547.tif 000004
(57)【要約】      （修正有）【課題】紙製品の犬の糞取器具であり、安く、簡便であることを目的としている。【解決手段】本考案は本体１にスコップ２と、蓋３を有するもので簡便かつ衛生的に犬の糞処理に役立つ。形状が箱である為、四角の一角をスコップの先端となるように配置することにより、平面に比べて地面に対する強度を保つことが出来、糞を取りやすくなる。蓋部分はスコップ部分とは対を成す部分で、スコップ部分より形状に丸みを帯びている。双方とも携帯時には外側に折りたたまれている。【選択図】図１
0003114543.tif 000002
【実用新案登録請求の範囲】
【請求項１】
防水加工した厚紙再生紙を箱状の形態にし、箱の一部にスコップ状の取り口と、反対側に蓋を設け、携帯に便利な様に折りたたむことが出来、糞採取後は箱のまま生ごみと共に処理できる「携帯型犬の糞取り器具」
【考案の詳細な説明】
【技術分野】
【０００１】  本考案は手を汚さずに犬の糞を処理でき、折りたためる、再生紙を使用した、防水加工の箱状の糞取器具に関するものである。
【技術背景】
【０００２】  多くの場合、ティッシュペーパーで掴み取り袋に入れて持ち帰るか、持参した園芸用スコップ等で穴を掘り埋めるかの方法である。
【考案の開示】
【考案が解決しようとする課題】
【０００３】  最近のペットブームとレジャーの多様化により犬を同伴しての旅行が多くなったが、多くの地域で糞害が取沙汰されて久しい。道端や他人の庭先に糞を置き去りにする人が多いのが現実だ。特に都会では穴を掘って生めることも出来ず、紙で拾うのがせいぜいである。したがって、携帯可能で見た目にもスマートな糞取り器具があればと考えた。
【課題を解決するための手段】
【０００４】  本考案は、箱と一体化した折りたたまれることが出来るスコップ状の出っ張りが特徴で，コンクリートの上や，草むらや砂地であっても採取可能な硬さと形状を有している。さらに採取後は、スコップを内側に折込、反対側の蓋を折り曲げ被せることにより、外見でもそれとは判別できないようになっている。
【考案の効果】
【０００５】  上述の様に本考案の携帯型犬の糞取り器具は器具自体が紙で出来ているため生ごみと共に処理できると同時に、糞だけをトイレに流し再利用できることも考案の範囲内である。なぜなら、容器の内側が防水加工して有る為、水洗いにも耐えられると考えるからだ。経済的にも安く手に入りやすく、小さく折りたためることも特徴の一つである。
【考案を実施するための最良の形態】
【０００６】  形状が箱である為、四角の一角をスコップの先端となるように配置することにより、平面に比べて地面に対する強度を保つことが出来、糞を取りやすくなる。蓋部分はスコップ部分とは対を成す部位で、スコップ部分より形状に丸みを帯びている。双方とも携帯時には外側に折りたたまれている。
【実施例】
【０００７】  以下、添付図面に従って実施例を説明する。１は防水加工された適度な厚さを持つ紙で形成された箱の本体、２はスコップ部分。３は蓋部分
【図面の簡単な説明】
【０００８】
【図１】  本考案の携帯型犬の糞取り器具の立体図形である。
【図２】  本器具の携帯時の形状である。
【符号の説明】
【０００９】  １  糞取器具本体
２  スコップ部分
３  蓋部分
２Ａ折りたたまれたスコップ部分
３Ａ折りたたまれた蓋部分
【図１】
0003114543.tif 000003
【図２】
0003114543.tif 000004
(57)【要約】      （修正有）【課題】空気銃、ガス銃等に使用する銃弾は、発射位置までの移動は銃弾内径部又は銃弾底面部を力点とし、銃弾頭部が支点となるので、この頭部を中心に後部円錐状底部が揺動する。特にこの揺動は、その製品加工精度により弾性変形、塑性変形のばらつきにより、傾きが生じ、中心軸が、ずれて飛翔中のふらつきにつながるのでこれを防止する。【解決手段】空気銃、ガス銃等に使用される銃弾Ａであって、銃弾を発射位置に移動する際、銃弾頭部２の外径を支点とし銃弾スカート部に設けた銃弾頭部外径と同等径の第二の括れ部３の２点支持により銃身に対し平行に発射位置まで装填されるようにし、発射時の推進力（空気圧、ガス圧）による弾性変形、塑性変形を受けた時点での銃弾姿勢を安定させる。【選択図】図１
0003114546.tif 000002
【実用新案登録請求の範囲】
【請求項１】
山形の頭部とその頭部の下部に形成された第一の括れ部と、この括れ部より下広状に形成された第一のスカート部とそのスカート部の下部に形成された第二の括れ部とその第二の括れ部より更に広がった第二のスカート部よりなり、山形頭部の外径と第一のスカート部の最大外径がほぼ同一で、しかも第一のスカート部の最大外径より第二のスカート部最大外径を、わずかに大きくしたことを特徴とした銃弾。
【請求項２】
第二の括れ部は、ほぼ垂直面とした事ことを特徴とした請求項１の空気銃等の銃弾。
【請求項３】
山形頭部の外径と第一のスカート部の最大外径ならびに、第二のスカート部最大外径は内径面とほぼ同心円であり、前記各内外径部と底面とは垂直面であることを特徴とした請求項１の銃弾。
【考案の詳細な説明】
【技術分野】
【０００１】本考案は、空気銃、ガス銃に用いる銃弾の装填時姿勢を安定させ、なおかつ発射時の銃弾姿勢を安定させる為の形状に関する。
【背景技術】
【０００２】標的射撃、実猟射撃においては一般的に市販品の銃弾を用いているが、その銃弾精度を調べる事が容易に出来ない為その状態で使用している。その為、目標物に対し着弾点がずれてしまう要素として銃弾が含まれる。
【考案の開示】
【考案が解決しようとする課題】
【０００３】目標物へ向かって飛翔する銃弾は、棒状の物又は手動で銃弾を押し発射位置まで移動する。銃弾は銃身小径部に案内された銃弾頭部と銃身内に形成された複条数のスパイラル溝と小径部を弾性変形又は塑性変形により推進力（空気圧等）を受けるスカート底部とで構成される。発射位置までの移動方法が棒状物の場合は銃弾内径部が、手動の場合は後部円錐状底部を力点とし銃弾頭部が支点となるので、この頭部を中心に後部円錐状底部が揺動する。特にこの揺動は、その製品加工精度により弾性変形、塑性変形のばらつきにより、傾きが生じ中心軸がずれ飛翔中のふらつきにつながる要素となる。
【課題を解決するための手段】
【０００４】かかる目的を達成するために講じた手段は、空気銃等に使用される銃弾であって、銃弾を発射位置に移動する際、銃弾頭部外径を支点とし銃弾スカート部に設けた銃弾頭部外径と同等径の第二の括れ部の２点支持により銃身に対しほぼ正確に発射位置に装填されるようにし、発射時の推進力（空気圧、ガス圧）による弾性変形、塑性変形を受けた時点での銃弾姿勢を安定姿勢にする。【０００５】そして前記した銃弾が、発射時に受けた推進力（空気圧、ガス圧等）を銃身内に設けられた複数条のスパイラル溝を塞ぐ弾性変形又は塑性変形可能なスカート底部の環状、鍔部をスカート部に設け、弾頭部、第二の括れ部、内径部、各部を同心円状とし圧力損失を防止しながら銃身内を移動し銃身から離脱する時の姿勢を安定させ目標物に飛翔させる。
【考案を実施するための最良の形態】
【０００６】次に、本考案の実施の形態を図面に基づいて説明をする。
図１及び図２は第１の実施形態を図３は第２の実施形態を列示しており、図中、符号Ａは銃弾本体である。
第一の実施形態の銃弾Ａは、中途がくびれた中空の鼓状を呈してなり、銃弾スカート部１に銃弾頭部２の外径Ｘと同等径の第二の括れ部３を形成し、銃身Ｂ内に形成されたスパイラル溝ｂ１より若干大きい径Ｙで環状の鍔部４を呈している。
さらに４とほぼ同心円の銃弾内径底縁部、５を呈している。【０００７】このように成形された銃弾Ａは銃身に装填（発射位置）まで棒状物７、の場合７で銃弾内径部、８を押し移動する。銃身に装填するときは８が力点、Ｘ径が支点、３が作用点となり、発射位置に装填される。手動の場合６が力点、Ｘ径が支点、３が作用点となり、発射位置に装填される。この一連の流れにより、銃身に対しＸ径及び３での２点での支持となり銃身内径に対し平行に発射位置まで移動する。【０００８】次に第２の実施形態は図３を用いて説明すると、銃身に装填時は銃弾ＡのＸ径が先に銃身内径部とスパイラル溝ｂ１に対し弾性変形、又は塑性変形して移動しその後、４も同様に装填される。その際、４と５との同心度を保持する、言い換えれば肉厚の異差による装填姿勢がずれる事を防ぐ。
【考案の効果】
【０００９】本考案は、以上のように構成したから下記の有効な効果を発揮する。
請求項１によれば銃身に対し銃弾が正確に装填されるように成るから銃身本来の精度を発揮でき狙点の修正が容易になり、銃弾本体に効率良く推進力が伝達さる。銃弾が発射時の推進力（空気圧等）による弾性変形又は塑性変形を受ける箇所が一定になり、銃弾の摩擦抵抗が平均化され推進力（空気圧等）、銃弾重量が一定の場合、飛距離がほぼ均一になる。請求項３によれば、銃弾の外径面と内径面がほぼ同心円で在るから軸心が保持され、発射後、銃身のスパイラル溝による銃弾の回転運動が安定するので飛翔中の姿勢が安定する。
【図面の簡単な説明】
【００１０】
【図１】成形された第１の実施された銃弾。
【図２】銃身に装填された銃弾と銃身の状態を示す断面図。
【図３】鍔部がスパイラル溝を塞いだ状態を示す銃身の断面図。
【符号の説明】
Ａ    銃弾
１    スカート部
２    銃弾頭部
３    第二の括れ部
４    環状鍔部
５    内径底縁部
６    銃弾底部
７    棒状物
８    内径深部
Ｂ    銃身
ｂ１  スパイラル溝
【図１】
0003114546.tif 000003
【図２】
0003114546.tif 000004
【図３】
0003114546.tif 000005
(57)【要約】      （修正有）【課題】弾性コイルを物干し竿に通すだけで風が吹いても洗濯物が片寄らず不使用時の片付けを考慮した洗濯物干しハンガーの提供。【解決手段】伸縮自在の弾性コイル３に洗濯バサミ２とハンガー吊持用パイプ５を取付け、その両端には固定具４ａ、４ｂを取り付け、ハンガーを使用する場合は、ハンガー吊持用パイプに通せば良い。【選択図】図１
0003114544.tif 000002
【実用新案登録請求の範囲】
【請求項１】
物干し竿に摺動自在に挿入するため、その内径部が物干し竿（１）の直径よりやや大きい直径の伸縮自在な弾性コイル（３）に、吊り手（２ａ）によって洗濯バサミ（２）を吊り下げ状態で取り付け、上記弾性コイルの両端にはこれを物干し竿に固定する一対のクリップ状固定具を取り付けたことを特徴とする洗濯物干しハンガー。
【請求項２】
物干し竿に摺動自在に挿入するため、その内径部が物干し竿（１）の直径よりやや大きい直径の伸縮自在な弾性コイル（３）に、請求項１記載の洗濯バサミ（２）とは別に、フック部分（６ａ）でハンガー（６）を水平に吊持するハンガー吊持用パイプ（５）を取り付けたことを特徴とする洗濯物干しハンガー。
【考案の詳細な説明】
【技術分野】
【０００１】本考案は、洗濯バサミとハンガー吊持用パイプを取り付け、その両端に物干し竿に固定する一対のクリップ状固定具を取り付けた弾性コイルを本体とする物干しハンガーに関し、物干し竿に通し（外嵌）て使用するものである。
【背景技術】
【０００２】コイル式の物が、すでに提案されているが、これらの物は風が吹くと、洗濯物が寄ってしまうため別の洗濯バサミで止めなければならない。又、ハンガー式のものは、洗濯物が重なるため日当たり、風通しが悪く乾きにくい等の欠点があった。
【考案の開示】
【考案が解決しようとする課題】
【０００３】弾性コイルを、竿に通す（外嵌する）だけで使用でき、不使用時は自動的に圧縮されて保管できるので、邪魔にならない。使用時は物干し竿に挿入（外嵌）し、その竿に応じて伸縮でき、その両端を物干し竿にクリップ状固定具で固定した後洗濯バサミで洗濯物を挟持し、ハンガーを使用する場合はフック部分を、ハンガー吊持用パイプに通せば良い。
【課題を解決するための手段】
【０００４】本考案は、弾性コイルに市販の洗濯バサミとハンガー吊持用パイプ取り付け、弾性コイルの両端に一対のクリップ状固定具を取り付け、物干し竿に通す（外嵌）だけで使用でき、風が吹いても洗濯物が片寄らず、ハンガーを使用する場合は、ハンガー吊持用パイプに通せばよい。
【考案の効果】
【０００５】本考案は、以下の作用効果が期待できる。
（イ）弾性コイルに、洗濯バサミ、ハンガー吊持用パイプ等を、所定の間隔（ピッチ）をおいて、きちんとしかも簡単に取り付けられるので、風が吹いても洗濯物が片寄らない。
（ロ）不使用時は自動的に圧縮されるので、片付けに手間がかからない。
（ハ）伸縮自在であり、又不使用時はハンガーを取り外せば邪魔にならず、便利である。
（ニ）パイプ（５）に挿入したハンガーのフック部分（６ａ）を、更に次のピッチのコイル部分に図１のように跨がるように係止すれば、ハンガーを水平に保持でき安定した状態で物干しができる。
（ホ）洗濯バサミは、市販の物をそのまま有効に利用できる。
（ヘ）弾性コイル、洗濯バサミ、ハンガー吊持用パイプ等すべて市販の部材で製作できるので、きわめて低コストで製造できる。
【考案を実施するための最良の形態】
【０００６】本考案は、物干し竿（１）にその内径部を摺動自在に挿入（外嵌）するため直径よりやや大きくした直径の伸縮自在な弾性コイル（３）「商品名：レインボースプリング」を本体とし、この弾性コイルの下方部（３ａ）に、１ピッチ又は数ピッチ毎に洗濯バサミ（２）、ハンガー吊持用パイプ（５）を交互又は連続して取り付け、更に弾性コイル（３）の両端には、物干し時にこの弾性コイルを竿に伸長して固定する一対の中型クリップ状固定具（４ａ）、（４ｂ）が取り付けられている。なお、ハンガー（６）は取り外しが自由なので必要に応じて使用する。
【実施例】
【０００７】以下、添付図面に従って一実施例を説明する。（１）は物干し竿、（２）は洗濯物を吊持する洗濯バサミ（市販の物で可）で、洗濯物を挟持する先端部（２ａ）と、その先端部（２ａ）を開くための後端部（２ｂ）と、枢軸（２ｃ）と、バネ（２ｆ）等で構成され、吊り手（２ｄ）の孔（２ｅ）に弾性コイル（市販のおもちゃを流用した。）で、材質はたとえばステンレスでコイル内径部の直径は、物干し竿（１）よりやや大きくし、弾性コイル下方部（３ａ）には１ピッチ毎に、上記洗濯バサミを複数個取り付けている。（５）はビニール製のハンガー吊持用パイプで、１ピッチ又は数ピッチ毎に弾性コイルの下方部（３ｂ）に取り付け、このパイプにハンガー（市販の物で可）のフック部分（６ａ）を挿入してハンガーを吊持する尚フック部分（６ａ）は次のピッチのコイル部分に跨がるように係止すれば、ハンガーを水平に保持でき、安定した状態で洗濯物を干すことができる。又コイル（３）の両端には、このコイルを物干し竿に固定する一対の中型クリップ形状の固定具（４ａ）、（４ｂ）が取り付けられている。また、ハンガー吊持用パイプ（５）は、直径１０ｍｍ位に切断して製作すればよい。
【図面の簡単な説明】
【０００８】
【図１】本考案を物干し竿に取り付けたときの図である。
【図２】本考案の弾性コイルのみを示す図である。
【図３】本考案のビニール製ハンガー吊持用パイプを示す図である。
【図４】本考案の洗濯物を吊持する洗濯バサミを示す図で（イ）と（ロ）と２種類のものを示す。
【図５】本考案の弾性コイルの両端に取り付けた一対のクリップ状の固定具を示す図である。
【図６】ハンガーを示す図で（イ）はハンガーのみを示し、（ロ）はこれに洗濯バサミ（２）を取り付けた他の実施例を示す。
【符号の説明】
【０００９】（１）    竿
（２）    洗濯バサミ
（２ａ）  洗濯バサミの先端部
（２ｂ）  洗濯バサミの後端部
（２ｃ）  枢軸
（２ｄ）  吊り手
（２ｅ）  孔
（２ｆ）  洗濯物挟持用バネ
（３）    弾性コイル
（３ａ）  弾性コイルの下方部
（３ｂ）  弾性コイルの下方部
（４ａ）  クリップ状固定具
（４ｂ）  クリップ状固定具
（５）    ハンガー吊持用パイプ
（６）    ハンガー
（６ａ）  フック部分
【図１】
0003114544.tif 000003
【図２】
0003114544.tif 000004
【図３】
0003114544.tif 000005
【図４】
0003114544.tif 000006
【図５】
0003114544.tif 000007
【図６】
0003114544.tif 000008
(57)【要約】      （修正有）【課題】お風呂の２つの穴を網付きパイプで覆い、風呂釜のパイプに付着していたゴミ類を網付きパイプ内に閉じこめ、自動お湯張りや追い炊き機能を使用しても浴槽内へゴミ類が進入するのを防止するゴミ取り網つきパイプの提供。【解決手段】本考案は、３の両面テープにて２の取り付け枠を浴槽に接着し、パイプ本体１を２の枠にはめ込むことにより、取り付けが可能となり、４のお湯は流出させゴミ類は遮断する微細な網状の繊維素材でゴミ類をパイプ内に閉じこめる。また、ゴミ類が溜まった場合は２から１を取り外し、水で洗い流せば掃除は簡単に行える。また、風呂釜のパイプから出てくる空気の泡も上部に逃がしてやることにより、スムーズに自動お湯張りや追い炊き機能が機能する。【選択図】図１
0003114550.tif 000002
【実用新案登録請求の範囲】
【請求項１】
お湯が浴槽内に流入する２つの穴を、本製品で覆うように取り付けることによって，お湯といっしょに流入する風呂釜パイプ内のゴミやカスだけを、微細な網状繊維で、本製品内に閉じこめ、浴槽内への進入を防止するのを特徴とするゴミ取り網付きパイプ。
【考案の詳細な説明】
【技術分野】
【０００１】  本考案は、パイプにゴミ取り網及び空気抜きを設けた、お風呂に関するものである。
【背景技術】
【０００２】  自動お湯張り機能や追い炊き機能を使用すると、風呂釜パイプに付着していたゴミやカスが流入し、浴槽内がゴミだらけになっていた。
【考案の開示】
【考案が解決しようとする課題】
【０００３】  入浴する前に風呂釜パイプを掃除しても、前述の２つの機能が使用出来るほど完全にゴミを除去するには至らず、時間的、労働的損失である。従って、２つの穴をゴミ取り網付きパイプで覆うことによって、前述の欠点を解決しようとするものである。
【課題を解決するための手段】
【０００４】  本考案は、自動お湯張り機能用にはパイプの下部にゴミ取り網を設け、追い炊き機能用にはパイプ側部と前面にゴミ取り網を設け、ゴミをパイプ内に閉じこめた。且つ、熱湯がスムーズに流入するように、空気を上に逃がして上げることにより問題点を解決している。
【考案の効果】
【０００５】  上述のように、本考案のゴミ取り網付きパイプは、毎日の風呂釜パイプの掃除が不用で、ゴミが多くなったら本考案品をはずして水で洗い流すだけで済み、自動お湯張りや追い炊き機能できれいな熱湯だけを浴槽に張ることができる。
【考案を実施するための最良の形態】
【０００６】  自動お湯張り用には、本考案品のパイプ下部に穴を、追い炊き機能用には、パイプの両側面と前面に穴を設け、その穴を微細な網で塞ぐ。又、空気が泡となって流入穴を塞がない用に、パイプを上に長く延長し空気の泡を上に逃がしてあげる。
【実施例】
【０００７】  以下添付図面に従って一実施例を説明する。１は耐熱性のプラスチック等適宜素材で形成されたパイプ本体。２は同素材の浴槽取り付け枠。３は２を浴槽に取り付ける両面テープ。１と２はオス・メス式に合体し、取り外し自由に出来る。４はお湯は流出させゴミとカスは遮断する微細な網状の繊維素材のゴミ遮断網。【０００８】  本考案の一実施例は上述の如き構成から成るものであるから、３の両面テープにて２の取り付け枠を浴槽に接着し、１のパイプ本体を２に合体すれば使用可能となる。また掃除する場合は１を取り外し、水洗いして再び２と合体すれば良い。
【図面の簡単な説明】
【０００９】
【図１】本考案のゴミ取り網付きパイプ本体の一実施例を示す立面図である。
【図２】浴槽に本体を取り付ける為の本体取り付け枠を示す立面図である。
【符号の説明】
【００１０】  １  パイプ本体
２  浴槽取り付け枠
３  浴槽取り付け用両面テープ
４  微細な網状繊維
【図１】
0003114550.tif 000003
【図２】
0003114550.tif 000004
(57)【要約】      （修正有）【課題】花木の茎の端を任意の寸法に切断すると同時に、茎の端を細かく割くことが出来、生け花の作業をより簡単なものにし、茎からの水分吸収を効果的に行う。【解決手段】上刃１の噛合部分に設けられた茎割き用上刃１’と一体となった下ハンドル５、および下刃２の茎割き用下刃２’と一体となった上ハンドル４および上ハンドル４と下ハンドル５にそれぞれ設けられた貫通孔３’に挿入させる連結ピン３、ならびに上刃１および下刃２の外側に切断用刃６および７を設けるため茎割き用上刃１’と下刃２’に沿って設けられた溝８により構成される。【選択図】図１
0003114541.tif 000002
【実用新案登録請求の範囲】
【請求項１】
鋏の上刃の凹部と下刃の凸部が交互に向かい合うように配列され、上刃と下刃を噛合させたとき、上刃の凹部と下刃の凸部の一方が閉じ、他の端は完全に閉じないように、上刃に傾斜を設け、かつ、上刃と下刃の外側に茎切断用の刃を設けたことを特徴とする花木用鋏。
【考案の詳細な説明】
【産業上の利用分野】
【０００１】  本発明は生け花に花木を使用する場合、花木の茎を切断すると同時に茎の端を細かく割くことにより、茎からの水分吸収を促進させ花木を長持ちさせるためのものである。
【背景技術】
【０００２】  花木の水分吸収を促進させるため茎の端を細かく割くか、砕く必要があるが、専用の道具が現存しないため、ハンマー等で茎の端を砕く必要があった。
【考案が解決しようとする課題】
【０００３】  現状では花木の寸法を決めて茎を鋏で切断した後、茎からの水分吸収を良くするために切断箇所の茎の端をハンマー等で砕くという作業を改めて行う必要があり、大変煩わしいものであった。
本発明は、茎の切断と、茎を細かく割く作業を同時に行うことを可能にすることで、生け花の作業をより簡単にさせるために開発されたものである。
【課題を解決するための手段】
【０００４】  本発明は、上刃１の噛合部分に設けられた茎割き用上刃１’と一体となった下ハンドル５および下刃２の噛合部分に設けられた茎割き用下刃２’と一体となった上ハンドル４および上ハンドル４と下ハンドル５にそれぞれ設けられた貫通孔３’に挿入させる連結ピン３ならびに上刃１と下刃２の外側に設けられた切断用刃６と７ならびに上刃１および下刃２の外側に切断用刃６および７を設けるため茎割き用上刃１’と下刃２’に沿って設けられた溝８により構成される。
連結ピン３は下ハンドル５と固定し、上ハンドル４は連結ピン３と固定しないため自由に動かすことが出来る。
上ハンドル４と下ハンドル５の間隔を上下に広げる操作を行うと、連結ピン３を中心として噛合部分の茎割き用上刃１’と茎割き用下刃２’が上下に広がり間隙が出来る。この間隙に切断する花木の茎を挿入し、切断しようとする任意の位置で上ハンドル４および下ハンドル５を握り締めると切断用刃６と７が合わさって茎を切断し、同時に茎割き用上刃１’と茎割き用下刃２’が噛合することにより茎の端を細かく割くことが可能となる。
茎割き用上刃１’を鋏の噛合する側面の反対方向に向けて図７の通り傾斜をつけて設けることにより、切断された茎の端から刃が当たることになり、硬い花木でも容易に割くことが可能となる。
【作用】
【０００５】  本発明の鋏を使用することにより花木の茎の端を任意の寸法に切断すると同時に、茎の端を細かく割くことが出来、生け花の作業をより簡単なものにすることが可能となり、茎からの水分吸収も効果的に行われることになる。
【実施例】
【０００６】  金属またはセラミックなどの硬い素材を使用し、茎割き用上刃１’を噛合する側面の反対方向に向って図７の通り傾斜をつけて設ける。上刃１および下刃２の外側に切断用刃６および７を設けるため茎割き用上刃１’と下刃２’に沿って溝８を設ける。
下ハンドル５と上ハンドル４にそれぞれ設けられた貫通孔３’に連結ピン３を挿入し、下ハンドル５と連結ピン３を固定し、上ハンドル４は連結ピン３と固定させず自由に回転できる状態とする。
【考案の効果】
【０００７】  茎割き用上刃１’と下刃２’の外側に切断用刃６と７を設けることにより茎を切断することを可能にするとともに、茎割き用上刃１’を噛合する側面の反対方向に向って図７の通り傾斜をつけて設けることで、挿入された茎の端から割くことになり、小さな力で茎を割くことを可能とした。
【図面の簡単な説明】
【図１】本考案の右側面図である。
【図２】本考案の左側面図である。
【図３】本考案の実施例の一部を示す平面図である。
【図４】本考案の実施例を示す正面図である。
【図５】本考案の実施例を示す背面図である。
【図６】本考案の実施例を示す断面図（Ａ−Ａ’）である。
【図７】本考案の実施例を示す断面図（Ｂ−Ｂ’）である。
【符号の説明】
１上刃      １’茎割き用上刃    ２下刃    ２’茎割き用下刃
３連結ピン  ３’貫通孔          ４上ハンドル  ５下ハンドル
６切断用上刃    ７切断用下刃    ８溝
【図１】
0003114541.tif 000003
【図２】
0003114541.tif 000004
【図３】
0003114541.tif 000005
【図４】
0003114541.tif 000006
【図５】
0003114541.tif 000007
【図６】
0003114541.tif 000008
【図７】
0003114541.tif 000009
(57)【要約】      （修正有）【課題】水切れをよくし不使用時に常に乾燥状態を保ちやすくするためにタテ型にして、使いやすいように包丁立てをセットにした包丁立て付きスタンド型まな板を提供する。【解決手段】まな板本体（１）の一方の短辺部分の一端に設けた切り込み部に回動可能なスタンド部（２）を設け反対側の端にスタンド支持部を設け、他方の短辺部分に着脱可能な包丁立て（４）を設ける。【選択図】図４
0003114561.tif 000002
【実用新案登録請求の範囲】
【請求項１】
まな板本体（１）の一方の短辺部分の一端に設けた切り込み部（５）に回動可能なスタンド部（２）を設け反対側の端にスタンド支持部（３）を設け、他方の短辺部分に着脱可能な包丁立て（４）を設けたことを特徴とする包丁立て付きスタンド型まな板。
【考案の詳細な説明】
【技術分野】
【０００１】  本考案はまな板に関し、詳しくは水切れをよくするためにタテ型にして包丁立てをセットにした包丁立て付きスタンド型まな板に関するものである。
【背景技術】
【０００２】  まな板は野菜・肉・魚など色々なものに使用する度に綺麗に洗浄・殺菌し常に乾燥状態にするのが望ましい訳である。そのためには各素材用に複数個のまな板を準備する必要がある。【０００３】  しかしながら実際問題として、キッチンや調理場等の限られた場所に必要以上のまな板を準備しておいて上記のような状態に保つことは大変難しいのが現状である。そこで最低限必要になってくるのが各素材に使用する毎に水洗いをして綺麗に洗浄することである。【０００４】  又、従来包丁とまな板の保管場所は別々になっているのが一般的で、いざ使おうとした時それぞれの保管場所から取り出して使用するという煩わしさがあった。
【考案の開示】
【考案が解決しようとする課題】
【０００５】  通常使用後、水洗いした後、まな板を立てかけて水切りをすることは一般的に行なわれてきたが、少しの振動や衝撃で倒れやすく、又他の物品の邪魔になるなどの問題点があった。そんな中でスタンドを付けたまな板（特許文献１参照）が発明されているが、スタンド部分をまな板の一部を使用するためその収納部分に雑菌が繁殖しやすいと言う問題点があった。そこで本考案は、上記の問題点を鑑みて考案されたものである。つまりまな板の使用後水切れをよくしカビなどの繁殖を防ぎやすいようにスタンド型にすることと包丁とまな板を使いやすいようにセットにすることを課題とする。【０００６】
【特許文献１】
【公開番号】
特許公開２００３−３８３６７
【公開日】
２００３年２月１２日
【出願番号】
特許出願２００１−２２９３３７
【出願日】
２００１年７月３０日
【出願人】
新輝合成株式会社
【発明者】
田中  和夫
【発明の名称】
まな板
【課題を解決するための手段】
【０００７】  上記課題を解決するために、まな板本体（１）の一方の短辺部分の一端に設けた切り込み部（５）に回動可能なスタンド部（２）を設け反対側の端にスタンド支持部（３）を設け、他方の短辺部分に着脱可能な包丁立て（４）を設けたことを特徴とする包丁立て付きスタンド型まな板である。
【考案の効果】
【０００８】  本考案を使用してまな板を立てたまま保管出来ることによって、使用後に水洗いしても水切れがよく全面が乾いた状態でカビの発生を防ぎ大変衛生的ということが出来る。その上包丁立てをセットにしたことによって、使用時わざわざ保管場所から抜き出す必要もなくすぐに使うことが出来るようになり大変便利になる。
さらに構成する部品もまな板本体に簡単な板の組み合わせで製作出来、比較的安価で供給可能となり一般消費者にとっても入手しやすいことになる。
【考案を実施するための最良の形態】
【０００９】  以下、本考案の具体的実施例を図面に基づいて説明する。図１は本考案のまな板本体（１）部分の正面図である。まな板本体（１）の一方の短辺部分の一端に設けた切り込み部（５）に回動可能なスタンド部（２）を設けその厚みはまな板本体（１）と同じとし、大きさは切り込み部（５）より少し小さくして回動可能とする。まな板全面を床部分から浮かすために設けたスタンド支持部（３）とスタンド部（２）の端までの全長は同じとする。【００１０】  図２は包丁立て（４）の斜視図である。包丁立ての長辺の内側の大きさはまな板本体（１）の厚みより少し大きくし包丁が入るようにする。【００１１】  図３は本考案の使用例を示す斜視図でスタンド部（２）をまな板本体（１）と同一方向にして使用する。【００１２】  図４は本考案を使用した後の保管の状態を示す斜視図でスタンド部（２）はまな板と９０度の位置に回して下側とし、上側に包丁立て（４）を被せ包丁を入れて保管する。
【図面の簡単な説明】
【００１３】
【図１】    本考案のまな板本体の正面図
【図２】    本考案の包丁立ての斜視図
【図３】    本考案のまな板使用時の斜視図
【図４】    本考案のまな板保管時の斜視図
【符号の説明】
【００１４】  （１）      まな板本体
（２）      スタンド部
（３）      スタンド支持部
（４）      包丁立て
（５）      切り込み部
【図１】
0003114561.tif 000003
【図２】
0003114561.tif 000004
【図３】
0003114561.tif 000005
【図４】
0003114561.tif 000006
(57)【要約】【課題】  本考案は植木鉢をパネルの組み立て方式とし、大型植木鉢の植え替えを根の成長度を確認した上で出来るようにし、植木を立てたまま痛めず植え替え出来るようにする。【解決手段】  本考案は植木鉢を前後面パネル１と側面パネル２と底面パネル３の３種類のパネルで構成し、鉢の前後面を簡単に取り外すのに適した凹凸や留め具を夫々のパネルに付け、消耗品の透明内カバーと併用する事によって、大型植木鉢の植え替えを根の成長度を確認した上で出来、植木を立てたまま植物を痛めず植え替え出来る。【選択図】    図１
0003114565.tif 000002
【実用新案登録請求の範囲】
【請求項１】
前後面・側面・底面の３タイプのパネルに凹凸や留め具をを設け、前後面パネルを植木を植えた状態で取り外せるを特徴とした、鉢植えを倒さず植え替えが出来、根の状態を確認出来る、パネル組み立て式植木鉢
【考案の詳細な説明】
【技術分野】
【０００１】  本考案は、パネルに凹凸や留め具を付け組み立て式とした、植木鉢に関するものである。
【背景技術】
【０００２】  ガーデニングにおいて、大きな鉢植えは植え替えの際に持ち上げるだけでも大変で、鉢を横に倒した際に枝葉を痛めたりとか、鉢から根がなかなか抜けない、横に倒すスペースが取れない等の問題があります。植物の種類によって根の成長も違い、鉢を引っ繰り返してみて、来年植え替えでも良かったのにと余分な手間を残念に思う事もあります。
【考案の開示】
【考案が解決しようとする課題】
【０００３】  植え替えの際、１）大きな鉢を持ち上げず、移動や植え替え出来る事  ２）鉢を倒さず植え替えが出来る事  ３）根の状態を確認出来、植え替えの必要・不必要を確認出来る事  ４）不必要な鉢をコンパクトに収納出来る事  ６）植物の種類・根の成長度合によって鉢の深さを変えられ大きな鉢に出来る事
【課題を解決する為の手段】
【０００４】  本考案は、植木鉢をパネルに凹凸や留め具を付け簡単に組み立て解体が出来る方式とし、底部のキャスターで植え替え易い場所に移動し前後面の固定具を外し手前に引けば簡単に植木鉢を解体出来る構造によって、植物を立てた状態のまま、持ち上げる・横に倒す・引っ繰り返す等の作業なしで、大型鉢植えの植え替えを簡単にし、前面パネルが簡単に取り外せる構造によって、根の状態を確認・植え替えのチェックが出来、パネル凹凸によって積み重ねが出来る仕様とし鉢の深さを変えられ、パネルの組合せである事よりコンパクトに収納出来る点より問題点を解決している。
【考案の効果】
【０００５】  上述の様に、本考案のパネル組立式植木鉢は、大きな鉢植えの植え替えの大変さを解消し、ガーデニングライフをより快適にします。
【考案の実施するための最良の形態】
【０００６】  植木鉢は、前後面のパネル・側面のパネル・底面のパネルの３種類のパネルで構成し、夫々のパネルに適宣な凹凸や留め具を付け、前後面パネルが簡単に取り外せる方式の組み立て式とします。底面パネルに、差し込み式キャスターを付け作業しやすい位置まで移動出来るようにします。鉢内側に消耗品の透明内カバーを使用する事によって根の様子を確認する際に土崩れを防止します。
【実施例】
【０００７】  パネル素材は軽量・耐強度・耐久性のあるプラスティック等適宣素材にて作成キャスターに関しては、補助機能とし既製品等を使用する
内カバーは消耗品とし、透明で簡単にハサミ等で切れる素材にて作成
【図面の簡単な説明】
【０００８】
【図１】組み立てをイメージしたパネル形状実施例を示す図である。
【図２】組み立て完成図である。
【符号の説明】
【０００９】１    前後面パネル
１ａ  鉢内側部分の側面パネル差し込み穴
１ｂ  側面パネルの２ｄのネジ棒を差し込み固定させる穴
２    側面パネル
２ａ  底面パネルに差し込む為・積み重ねの為の突起
２ｂ  積み重ねの際パネルを差し込む穴
２ｃ  前後面パネルに差し込む為の突起
２ｄ  前面パネルとの固定ネジ棒
２ｅ  ２ｄを１ｂに差し込みパネル同志を固定させる為のネジ
３    底面パネル
３ａ  側面パネルを差し込む穴
３ｂ  水はけ・通気の為のネット構造
３ｃ  差し込み式キャスター
４    水切り穴の付いた、透明・簡易・消耗品内カバー
【図１】
0003114565.tif 000003
【図２】
0003114565.tif 000004
(57)【要約】      （修正有）【課題】本考案は、運転中にアクセルとブレーキを間違えて踏んだの交通事故を減少する方法に関するものである。【解決手段】左足ブレーキペダル３を設置し、左足が運転中にもブレーキペダルを踏めることになる。【選択図】図１
0003114524.tif 000002
【実用新案登録請求の範囲】
【請求項１】
オートマチック自動車の左足ブレーキの設置
【考案の詳細な説明】
【技術分野】
【０００１】  本考案は、オートマチック自動車に左足ブレーキを設置するにものである。
【背景技術】
【０００２】  フォーク・リフトの左足ブレーキ
【考案の開示】
【考案が解決しようとする課題】
【０００３】  ＡＴ自動車（オートマチック自動車）の交通事故原因のひとつは、右足がアクセルとブレーキを間違えて踏んだことです。従来のＡＴ自動車のブレーキペダルは横長で、左足でも踏めるようになっていますが、左足から離れているから操作しにくい。また、従来のＡＴ自動車はＭＴ自動車（マニュアル自動車）のようなクラッチがないので、左足は遊んている状態になっています。従って、左足ブレーキの設置は前述の欠点を解決しようとするものである。
【課題を解決するための手段】
【０００４】  本考案は、ＡＴ自動車に左足ブレーキペダルを設置し、左足が運転中にもすぐブレーキを踏めることになる。それに、もともとクラッチのところに左足ブレーキペダルを設置するから、クラッチに慣れた人も左足が遊ばないようになる。
【考案の効果】
【０００５】  上述のように、本考案の左足ブレーキペダルの設置は交通事故の防止に効果がある。
【考案を実施するための最良の形態】
【０００６】  従来のＡＴ自動車のブレーキペダルをアクセルペダルから離れて、左足のところに設置する。
【図面の簡単な説明】
【０００７】  本考案は、従来のＡＴ自動車のブレーキペダルをアクセルペダルから離れ、左足のところに設置する。【図１】  「本考案の斜視図である。」
【図２】  「従来の斜視図である。」
【符号の説明】
【０００８】１  車体
２  運転席
３  ブレーキペダル
４  アクセルペダル
５  左足
６  右足
【図１】
0003114524.tif 000003
【図２】
0003114524.tif 000004
(57)【要約】      （修正有）【課題】平板の状態で販売されている地形図を使用する個人によって簡単に、一気に、且つ迅速に全面展開・収納できる形態にできる転写シートの提供。【解決手段】一つの角２を挟む２辺３・４で接合した２枚の合成樹脂シートに折り目を付けておき、折り目の谷折り部分をヘラ等で押圧することによって、その間に挟んだ地形図を「ミウラ折り」することができる。これにより同地形図の全面展開・収納が迅速に行われるようになる。【選択図】図１
0003114523.tif 000002
【実用新案登録請求の範囲】
【請求項１】
国土地理院発行の地形図の大きさに合わせた２枚の合成樹脂製シートに折り型を付けておき、間に挟んだ地図にその折り目を写すことによって、手軽に国土地理院発行の地形図を「ミウラ折り」出来るようにする「ミウラ折り」転写シート。
【考案の詳細な説明】
【技術分野】
【０００１】  本考案は、国土地理院の地形図を簡単に、かつ小部数「ミウラ折り」するためのものである。
【技術背景】
【０００２】  国土地理院の地図を野外で使用する場合、一気に全面が展開、および収納できる畳み方としては「ミウラ折り」が存在するが、その畳み方は簡単ではない。
【考案の開示】
【考案が解決しようとする課題】
【０００３】  国土地理院の地図は、登山・旅行など屋外で使用する地図として普及しているが、平板の状態で販売されている。野外で使用する地図を一気に、かつ迅速に全面展開・収納できる畳み方として、「ミウラ折り」が存在するが、その折り方は簡単とはいえない。プレス機等の機械を用いれば簡単に折ることは出来るが、個人の使用に適しているとはいえない。地図を使用する者が個人的に、かつ簡単に「ミウラ折り」が出来れば、平板の状態で販売されている国土地理院の地図の展開・収納を迅速に行うことができる。
【課題を解決するための手段】
【０００４】  本考案は、折り型をつけた２枚の合成樹脂シート間に地図を挟み、ヘラ等で折り型の谷折り部分を押圧することによって、国土地理院の地形図に、簡単に「ミウラ折り」の折り目を転写することにより問題点を解決している。
【考案の効果】
【０００５】  上述のように、本考案の「ミウラ折り」転写シートは、国土地理院の地形図を簡単に「ミウラ折り」出来る。それも、必要な図面に関してのみ係る折り方が出来るので個人的な使用に適している。
【考案を実施するための最良の形態】
【０００６】  長方形を呈する２枚のシートは、ひとつの角で接する２辺で接合されており、この角の内側に合わせて地形図を挿入することにより、折り目を付ける位置が決められる。間に挿入した地形図が正しい位置にあるか確認できるため、シートは透明または半透明の素材を用いる。シートに付けられた谷折りの線をヘラ等で押圧し折り目を地形図に転写するため、シートは折り型を保持でき、かつヘラで押圧が可能なやや軟質な素材を用いる。
【実施例】
【０００７】  以下、添付図面に従って一実施例を説明する。１は透明もしくは半透明の合成樹脂等適宜素材によって形成されたシートで、２の角を挟む３・４の辺で上下２枚のシートが連結し、２枚のシート自体に「ミウラ折り」の折り目が付けられている。【０００８】  本考案の一実施例は上記の如き構成からなるもので、使用する際は２枚のシート間に地形図を挿入する。この際地形図は２の角にぴったり内接するように挿入する。しかる後、厚紙・机上に敷くマット等のやや軟質の平坦面上で、シートに付けられた折線の、谷折り部分をヘラ等で押圧することにより、シートに付けられた折り型を地形図に転写する。
【図面の簡単な説明】
【０００９】
【図１】本考案の「ミウラ折り」転写シートの一実施例を示す透視図である。
【図２】本シートの使用状態の透視図である。
【符号の説明】
【００１０】  １  シート本体
２  地形図挿入の際、最奥となるべき角
３  上下のシートが接合されている辺
【図１】
0003114523.tif 000003
【図２】
0003114523.tif 000004
(57)【要約】      （修正有）【課題】乳幼児を縦抱きにしてあやしたり、寝かし付けることが屡々行われている保育現場において好適なエプロンを提供する。【解決手段】エプロン本体１とエプロン本体１の肩当てタオル４，４からなり、肩当てタオル４はその両面をパイル地６，６とすると共に、エプロン本体１と肩当てタオル４，４にはそれぞれ一対のファスナーで構成される着脱部3aと3bを設け、且つ肩当てタオル側に設けられたファスナー3bを両面ファスナーで構成したエプロン。【選択図】図２
0003114527.tif 000002
【実用新案登録請求の範囲】
【請求項１】
エプロン本体と該エプロン本体の肩当てタオルからなり、該エプロン本体と肩当てタオルにはそれぞれ一対の着脱部を設けると共に、肩当てタオルはその一面又は両面をパイル地としたことを特徴とするエプロン。
【請求項２】
エプロン本体と肩当てタオルに設けられる一対の着脱部を一対のファスナーで構成すると共に、肩当てタオル側に設けられたファスナーを両面ファスナーとして請求項１記載のエプロン。
【考案の詳細な説明】
【技術分野】
【０００１】
この考案は、肩当てタオルを着脱自在に取り付けられるようにした例えば保育園等の保育現場において好適なエプロンに関するものである。
【背景技術】
【０００２】
保育園等の保育現場においては、乳幼児を縦抱きにしてあやしたり、寝かし付けることが屡々行われているが、この場合抱かれる乳幼児に心地よさを与えることが必要である。
【０００３】
従来エプロンに関する提案は色々あるが、乳幼児を縦抱きする際の肩当てタオルを付設したものは未だに提案されていない。
【０００４】
一方、特開2002-327318には吸水性に優れた素材布を使用して縦抱きにした乳幼児のよだれが母親の衣服に付着、浸透するのを防ぐ母親用よだれガードが提案されている。
【０００５】
また、特開2004-300647には乳幼児が戻したミルク・母乳などを素早く吸収する素材布を使用した肩当てシートが提案されている。
【特許文献１】特開2002-327318、特開2004-300647
【考案の開示】
【考案が解決しようとする課題】
【０００６】
しかし、これらは何れも縦抱きの際の乳幼児のよだれ等の衣服に付着、浸透するのを防ぐことを目的としており、抱かれる乳幼児に心地よさを与えることを目的としたものはない。
【０００７】
また、このような肩当てタオルを取り付けたエプロンがあれば、保育園等の保育現場において好適であるが、このようなエプロンに関する提案も当然ない。
【課題を解決するための手段】
【０００８】
この考案は、上記実情に鑑み、エプロン本体と該エプロン本体の肩当てタオルからなり、該エプロン本体と肩当てタオルにはそれぞれ一対の着脱部を設けると共に、肩当てタオルはその一面又は両面をパイル地としたエプロンを提案するものである。
【考案の効果】
【０００９】
即ち、この考案においては肩当てタオルの一面又は両面をパイル地にしているため、抱かれる乳幼児の頭部等がもたれ掛かると、そのクッション性により抱かれる乳幼児に心地よさを与えることができ、同時に乳幼児のよだれがエプロン等に付着、浸透することを防ぐことができる。
【００１０】
したがって、この考案においては、乳幼児を縦抱きにしてあやしたり、寝かし付けることが屡々行われている保育現場において好適なエプロンを提供できる。
【００１１】
なお、該エプロン本体と肩当てタオルに設けられる一対の着脱部としては、例えばボタンとボタンホール、一対のホック部材、ファスナーのメス部材とオス部材を挙げることができ、このうちファスナーはパイル地のクッション性が損なわれず、抱かれた乳幼児に心地よさを与えることができる。
【００１２】
また、エプロン本体と肩当てタオルに設けられる一対の着脱部を一対のファスナーで構成する場合、肩当てタオル側に設けられたファスナーを両面ファスナーにすれば、肩当てタオルをリバーシブルに使用することができる。
【考案を実施するための最良の形態】
【００１３】
エプロン本体と該エプロン本体の肩当てタオルからなり、肩当てタオルはその一面又は両面をパイル地とすると共に、エプロン本体と肩当てタオルにはそれぞれ一対のファスナーで構成される着脱部を設け、且つ肩当てタオル側に設けられたファスナーを両面ファスナーで構成したエプロン。
【実施例１】
【００１４】
以下、この考案を図示の実施例に基づいて詳細に説明すると、１はエプロン本体で、エプロン本体１の肩部２，２の裏面にはファスナーのメス部材で構成される着脱部3a,…が逢着される。
【００１５】
４、４は縦抱きされる乳幼児の体型に合わせて裁断された肩当てタオルであり、肩当てタオル４はポリエステルと綿の混紡で構成されるタオル面５の両面に綿糸で構成されるパイル地６，６が縫設される。
【００１６】
また、肩当てタオル４の両側には布片７，７を突設させ、布片７の両面にはファスナーのオス部材で構成される着脱部3b,3bを縫着させる。
【００１７】
以上の構成において、肩当てタオルの使用に際しては、肩当てタオル４の布片７，７を
プロン本体１の肩部２，２の裏面に折り返してここに逢着されているファスナーのメス部材3a,3aに布片７の一面に逢着されたファスナーのオス部材3b,3bを接合させる。
【００１８】
これにより、エプロン本体１の肩部２，２には肩当てタオル４，４は固定され、したがって乳幼児を縦抱きすると、抱かれる乳幼児の頭部等がこれにもたれ掛かり、肩当てタオル４の両面に設けられたパイル地６，６のクッション性により抱かれる乳幼児を心地よい眠りに誘うことができる。
【００１９】
また、この考案では肩当てタオル４の両面に設けられたパイル地６，６により乳幼児のよだれが吸着され、エプロン等に付着、浸透することを防ぐことができる。
【００２０】
なお、肩当てタオル４が汚れた場合には、この実施例では布片７，７の両面にファスナーのオス部材3b,3bが逢着されているため、肩当てタオル４の新たな面を表面にして使用することができる。
【産業上の利用可能性】
【００２１】
以上要するに、この考案によれば乳幼児を縦抱きにしてあやしたり、寝かし付けることが屡々行われている保育現場において好適なエプロンを提供できる。
【図面の簡単な説明】
【００２２】
【図１】肩当てタオルを取り付けたこの考案に係るエプロンの正面図
【図２】同上の肩当てタオルの取り付け状態を示す正面図
【図３】同上の肩当てタオルを取り外した状態の正面図
【図４】同上の肩当てタオルの表面（Ａ）と裏面（Ｂ）を示す図
【図５】同上の肩当てタオルの縦断側面図
【符号の説明】
【００２３】
１はエプロン本体
２，２は肩部
3a,…はファスナーのメス部材で構成される着脱部
3b,3bはファスナーのオス部材で構成される着脱部
４，４は肩当てタオル
５はタオル面
６，６はパイル地
７，７は布片
【図１】
0003114527.tif 000003
【図２】
0003114527.tif 000004
【図３】
0003114527.tif 000005
【図４】
0003114527.tif 000006
【図５】
0003114527.tif 000007